(57)【要約】【課題】不特定の人を対象とした状況において、表示情報を提供すべき対象者に適切に提供することが可能な表示制御装置等を提供する。【解決手段】表示装置の制御部は、カメラにて表示装置の表示面側を撮像し、得られた撮像画像に基づいて、表示装置の正面に人がいるか否かを検知する。また、制御部は、人がいることを検知した場合、表示面から検知した人までの距離を検出する。制御部は、検出した距離に応じて、表示すべきキャラクタデータとして第１キャラクタデータ又は第２キャラクタデータを選択し、表示すべき案内情報として第１案内情報又は第２案内情報を選択する。制御部は、選択したキャラクタデータ及び案内情報を含む表示データを生成し、表示パネルに表示する。【選択図】図２
2018205534.tif 000002
【特許請求の範囲】
【請求項１】
表示部に画像を表示させる表示制御を行う表示制御装置において、
前記表示部から、前記表示部の表示面側に存在する人までの距離を取得する距離取得部と、
前記距離取得部が取得した距離に応じて、前記表示部に表示させる画像を第１画像又は第２画像に切り替える画像切替部と
を備えることを特徴とする表示制御装置。
【請求項２】
前記第１画像及び第２画像は、人型又は動物型キャラクタの画像であり、
前記第２画像は、前記第１画像の人型又は動物型キャラクタをデフォルメした画像である
ことを特徴とする請求項１に記載の表示制御装置。
【請求項３】
前記第１画像及び第２画像は、人型キャラクタの画像であり、
前記第２画像の人型キャラクタは、前記第１画像の人型キャラクタよりも頭身数が少ない
ことを特徴とする請求項１又は２に記載の表示制御装置。
【請求項４】
前記画像切替部が切り替えた前記第１画像又は第２画像と、案内情報とを含む表示データを生成する表示データ生成部を備え、
前記表示データ生成部は、前記距離取得部が取得した距離が所定距離未満である場合、前記距離が前記所定距離以上である場合よりも、前記案内情報の表示領域を小さくし、又は、前記案内情報のフォントサイズを小さくするようにしてある
ことを特徴とする請求項１から３までのいずれかひとつに記載の表示制御装置。
【請求項５】
前記画像切替部は、前記距離取得部が取得した距離が前記所定距離未満である場合、前記第１画像に切り替え、前記距離取得部が取得した距離が前記所定距離以上である場合、前記第２画像に切り替えるようにしてあり、
前記表示データ生成部は、前記距離取得部が取得した距離が前記所定距離未満である場合、前記画像切替部が切り替えた前記第１画像の表示領域を、前記距離が前記所定距離以上である場合に前記画像切替部が切り替える前記第２画像の表示領域よりも大きくするようにしてある
ことを特徴とする請求項４に記載の表示制御装置。
【請求項６】
前記表示データ生成部は、
前記距離取得部が取得した距離が第１閾値未満である場合、前記案内情報の表示領域の大きさを第１サイズとし、又は、前記案内情報のフォントサイズを第１フォントサイズとし、
前記距離が前記第１閾値よりも大きい第２閾値以上である場合、前記案内情報の表示領域の大きさを前記第１サイズよりも大きい第２サイズとし、又は、前記案内情報のフォントサイズを前記第１フォントサイズよりも大きい第２フォントサイズとし、
前記距離が前記第１閾値以上で前記第２閾値未満である場合、前記距離が長くなるにつれて、前記案内情報の表示領域の大きさを前記第１サイズから前記第２サイズまでの範囲内で大きくし、又は、前記案内情報のフォントサイズを前記第１フォントサイズから前記第２フォントサイズまでの範囲内で大きくするようにしてある
ことを特徴とする請求項４に記載の表示制御装置。
【請求項７】
前記表示データ生成部は、
前記距離取得部が取得した距離が、前記所定距離よりも小さい第１閾値未満である場合、前記画像切替部が切り替えた前記第１画像の表示領域の大きさを第１サイズとし、
前記距離が前記所定距離よりも大きい第２閾値以上である場合、前記画像切替部が切り替えた前記第２画像の表示領域の大きさを第１サイズよりも小さい第２サイズとし、
前記距離が前記第１閾値以上で前記第２閾値未満である場合、前記距離が長くなるにつれて、前記画像切替部が切り替えた画像の表示領域の大きさを前記第１サイズから前記第２サイズまでの範囲内で小さくするようにしてある
ことを特徴とする請求項５に記載の表示制御装置。
【請求項８】
前記距離取得部が取得した距離に応じて、スピーカから出力する音声の音量を変更する音量変更部を更に備えることを特徴とする請求項１から６までのいずれかひとつに記載の表示制御装置。
【請求項９】
表示部に画像を表示させる表示制御装置による表示制御方法において、
前記表示制御装置が、
前記表示部から、前記表示部の表示面側に存在する人までの距離を取得し、
取得した距離に応じて、前記表示部に表示させる画像を第１画像又は第２画像に切り替える
ことを特徴とする表示制御方法。
【請求項１０】
コンピュータに、表示部に画像を表示させる処理を実行させるためのプログラムにおいて、
前記コンピュータに、
前記表示部から、前記表示部の表示面側に存在する人までの距離を取得し、
取得した距離に応じて、前記表示部に表示させる画像を第１画像又は第２画像に切り替える
処理を実行させることを特徴とするプログラム。
【発明の詳細な説明】
【技術分野】
【０００１】
本発明は、表示制御装置、表示制御方法及びプログラムに関する。
【背景技術】
【０００２】
近年、街頭やショッピングモール等にデジタルサイネージを設置し、デジタルサイネージを用いて各種の案内、宣伝、広告等が行われている。このような場所に設置されるデジタルサイネージに表示される情報は不特定の人に向けて発信されるので、デジタルサイネージの表示情報を必要とするユーザ又は表示情報を提供すべきユーザに適切に届けることは難しい。
特許文献１には、表示画面を見る視聴者の目の状態に応じて、表示中の文字の読みやすさを判定し、判定結果に基づいて、表示中の文字の背景、色、大きさ等を変更することにより、読みやすい表示状態に変更する表示装置が開示されている。特許文献１に開示された装置によれば、視聴者の指示がなくても自動的に読みやすい表示状態で文字が表示される。
【先行技術文献】
【特許文献】
【０００３】
【特許文献１】特開２０１０−２５８９４０号公報
【発明の概要】
【発明が解決しようとする課題】
【０００４】
特許文献１に開示された装置では、特定の視聴者が視聴する状況において、視聴者が読みやすい表示状態で文字を表示することができる。
しかし、街頭等に設置されたデジタルサイネージは、不特定の人に向けて情報を提供するので、デジタルサイネージの表示情報を必要とするユーザ又は表示情報を提供すべきユーザにとって読みやすい表示状態を実現することは困難である。
【０００５】
本発明は、このような事情に鑑みてなされたものであり、その目的とするところは、不特定の人を対象とした状況において、表示情報を提供すべき対象者に適切に表示情報を提供することが可能な表示制御装置等を提供することにある。
【課題を解決するための手段】
【０００６】
本発明の一態様に係る表示制御装置は、表示部に画像を表示させる表示制御を行う表示制御装置において、前記表示部から、前記表示部の表示面側に存在する人までの距離を取得する距離取得部と、前記距離取得部が取得した距離に応じて、前記表示部に表示させる画像を第１画像又は第２画像に切り替える画像切替部とを備えることを特徴とする。
【０００７】
本発明の一態様に係る表示制御方法は、表示部に画像を表示させる表示制御装置による表示制御方法において、前記表示制御装置が、前記表示部から、前記表示部の表示面側に存在する人までの距離を取得し、取得した距離に応じて、前記表示部に表示させる画像を第１画像又は第２画像に切り替えることを特徴とする。
【０００８】
本発明の一態様に係るプログラムは、コンピュータに、表示部に画像を表示させる処理を実行させるためのプログラムにおいて、前記コンピュータに、前記表示部から、前記表示部の表示面側に存在する人までの距離を取得し、取得した距離に応じて、前記表示部に表示させる画像を第１画像又は第２画像に切り替える処理を実行させることを特徴とする。
【発明の効果】
【０００９】
本発明の一態様にあっては、不特定の人を対象とした状況において、表示情報を提供すべき対象者に対して適切に表示情報を提供することができる。
【図面の簡単な説明】
【００１０】
【図１】実施形態１に係る表示装置の外観模式図である。
【図２】実施形態１に係る表示装置の内部構成例を示すブロック図である。
【図３】制御部によって実現される機能を示すブロック図である。
【図４】表示パネルの画面例を示す模式図である。
【図５】表示装置が行う表示処理の手順を示すフローチャートである。
【図６】実施形態２の表示装置の内部構成例を示すブロック図である。
【図７】実施形態２の表示装置が行う表示処理の手順を示すフローチャートである。
【図８】実施形態２の表示パネルの画面例を示す模式図である。
【図９】実施形態３の表示装置の制御部によって実現される機能を示すブロック図である。
【図１０】実施形態３の表示装置が行う表示処理の手順を示すフローチャートである。
【発明を実施するための形態】
【００１１】
以下、本開示の表示制御装置、表示制御方法及びプログラムについて、表示部を備える表示装置に適用した実施形態を示す図面に基づいて具体的に説明する。
【００１２】
（実施形態１）
図１は、実施形態１に係る表示装置の外観模式図、図２は、実施形態１に係る表示装置の内部構成例を示すブロック図である。
実施形態１の表示装置１は、例えばデジタルサイネージであり、街頭、ショッピングモール、ホテル、空港、駅等の施設の適宜箇所に設置されて使用される。図１には、例えば壁面に設置されて使用される構成の表示装置１を示しているが、表示装置１は、スタンド（不図示）を用いて床面に設置されて使用される構成でもよい。
【００１３】
表示装置１は、制御部１０、記憶部１１、表示パネル（表示部）１２、スピーカ１３及びカメラ１４等を含み、これらの各部はバスを介して相互に接続されている。
制御部１０は、ＣＰＵ（Central Processing Unit）又はＭＰＵ（Micro-Processing Unit）等のプロセッサを含む。制御部１０は、記憶部１１に記憶してある制御プログラムを適宜実行することにより、表示パネル１２に画像を表示させる表示制御処理を含む種々の制御処理を行う。
記憶部１１は、フラッシュメモリ、ハードディスク、ＳＳＤ（Solid State Drive）等を含む。記憶部１１は、制御部１０が実行する制御プログラム（例えば、画像処理プログラム１１ａ）及び各種のデータ（例えば、キャラクタデータ１１ｂ及び案内情報１１ｃ）等を予め記憶している。また記憶部１１は、制御部１０が制御プログラムを実行する際に発生するデータ等を一時的に記憶する。
【００１４】
キャラクタデータ１１ｂ及び案内情報１１ｃは、制御部１０が画像処理プログラム１１ａを実行した際に用いられる。
キャラクタデータ１１ｂは、キャラクタを表示するための画像データであり、少なくとも２つのデータを含む。例えば、キャラクタデータ１１ｂは、７頭身〜８頭身の人型キャラクタの画像（第１画像）を表示するための第１キャラクタデータ１１ｂａ（図３，図４参照）と、２頭身〜３頭身の人型キャラクタの画像（第２画像）を表示するための第２キャラクタデータ１１ｂｂ（図３，図４参照）とを含む。第１キャラクタデータ１１ｂａ及び第２キャラクタデータ１１ｂｂは、同一のキャラクタを表示するための画像データである。第２キャラクタデータ１１ｂｂは、第１キャラクタデータ１１ｂａのキャラクタの特徴部分を強調した画像データ、所謂デフォルメした画像データであり、離れた場所からでも見易い画像であることが望ましい。なお、キャラクタデータ１１ｂは、人型キャラクタに限らず、犬又は猫等の動物のキャラクタを表示するための画像データであってもよい。
【００１５】
案内情報１１ｃは、表示装置１が設置されている場所、施設、近隣の店舗の案内、お知らせ等のコンテンツであり、表示パネル１２に表示されるテキストデータ及び画像データ等を含む。また、案内情報１１ｃは２種類のコンテンツを含み、例えば、表示装置１から近い場所（例えば、２ｍ〜３ｍ程度離れた場所）で視認できる程度のフォントサイズで表示される第１案内情報１１ｃａ（図３，図４参照）と、表示装置１から離れた場所からでも視認できるように比較的大きいフォントサイズで表示される第２案内情報１１ｃｂ（図３，図４参照）とを含む。第１案内情報１１ｃａ及び第２案内情報１１ｃｂは、例えば１つの店舗に関する案内情報１１ｃとして用意される。
案内情報１１ｃには、表示パネル１２に表示される表示データだけでなく、スピーカ１３から音声出力される音声データ又は音楽データが含まれていてもよい。
【００１６】
表示パネル１２は、例えば液晶ディスプレイ、有機ＥＬ（Electro Luminescence）ディスプレイ等であり、制御部１０からの指示に従って各種の情報を表示する。
スピーカ１３は、制御部１０からの指示に従った内容（メッセージ）を音声出力する。
カメラ１４は、制御部１０からの指示に従って撮像し、表示装置１の周囲の撮像画像を取得する。カメラ１４は、取得した撮像画像を記憶部１１へ送出し、記憶部１１に記憶させる。
【００１７】
図１に示す表示装置１では、表示パネル１２は矩形の表示面を有しており、スピーカ１３及びカメラ１４は表示パネル１２の表示面側に設けられている。スピーカ１３は、表示面の下側に設けられており、表示面側へ音声を出力する。カメラ１４は、表示面の上側に設けられており、表示面側を撮像する。スピーカ１３は、表示パネル１２の表示面側にいる人に音声が届く位置であれば配置位置は限定されず、カメラ１４は、表示パネル１２の表示面側を撮像できれば配置位置は限定されない。
【００１８】
実施形態１の表示装置１は、上述した構成のほかに、操作部及び通信部等を備えてもよい。操作部は、ユーザによる操作入力を受け付け、操作内容に対応した制御信号を制御部１０へ送出する。操作部は、表示パネル１２と一体として構成されてもよく、この場合、表示パネル１２の代わりに操作パネルが設けられる。
通信部は、ＬＡＮ（Local Area Network）又はインターネット等のネットワークに接続するためのインタフェースであり、ネットワークに接続可能な外部装置との間で通信を行う。
【００１９】
次に、表示装置１の制御部１０が画像処理プログラム１１ａを実行することによって実現する機能について説明する。図３は、制御部１０によって実現される機能を示すブロック図、図４は、表示パネル１２の画面例を示す模式図である。
表示装置１の制御部１０は、記憶部１１に記憶してある画像処理プログラム１１ａを実行した場合、撮像処理部２１、人検知部２２、距離検出部２３、表示データ生成部２４、表示処理部２５の各機能を実現する。なお、本実施形態では、上述した各機能を制御部１０が画像処理プログラム１１ａを実行することにより実現するが、上述した各機能の一部を専用のハードウェア回路で実現してもよい。
【００２０】
撮像処理部２１は、カメラ１４に撮像処理を行わせ、表示装置１の表示面側（正面側）の撮像画像を取得する。
人検知部２２は、撮像処理部２１が取得した撮像画像に基づいて、表示装置１の正面に人がいるか否かを検知する。例えば、人検知部２２は、テンプレートマッチング技術によって撮像画像中に人が含まれているか否かを判断する。具体的には、一般的な人の顔又は全身の画像を示すテンプレートが予め記憶部１１に記憶されており、人検知部２２は、撮像画像からテンプレートに一致する領域を検知した場合、検知した領域を人の領域として抽出する。
【００２１】
距離検出部（距離取得部）２３は、人検知部２２が人を検知した場合、表示装置１（表示面）から、人検知部２２が検知した人までの距離を検出（取得）する。例えば、複数の距離毎に、それぞれの距離離れた位置から人を撮像した場合の撮像画像中の人の顔領域の大きさを予め取得して記憶部１１に記憶しておく。そして、距離検出部２３は、人検知部２２が抽出した人の領域から人の顔領域を抽出し、抽出した顔領域の大きさに対応する距離を、記憶部１１に記憶してある距離から特定する。距離検出部２３は、特定した距離を、表示装置１から検知された人までの距離に決定する。
【００２２】
なお、人検知部２２が複数人を検知した場合、距離検出部２３は、検知された複数人のうちのいずれかの人を対象者に選定し、選定した対象者までの距離を検出する。距離検出部２３が距離を検出する対象者としては、以下のような人を選定することが考えられる。
例えば、表示装置１から最も近い場所にいる人を対象者に選定してもよい。この場合、例えば、距離検出部２３は、人検知部２２が抽出した複数の人の領域からそれぞれ顔領域を抽出し、最も大きい顔領域の人を対象者に選定する。そして、距離検出部２３は、選定した対象者の顔領域の大きさに対応する距離を特定する。なお、撮像画像中の顔領域が最も大きい人は、表示装置１に最も近い場所にいる可能性が高いと考えられる。
【００２３】
また、表示装置１の正面で立ち止まっている人を対象者に選定してもよい。この場合、例えば、距離検出部２３は、カメラ１４によって所定時間間隔（例えば数１０ｍ秒毎、数１００ｍ秒毎）で取得される複数の撮像画像において、人検知部２２が順次検知（抽出）する人の領域が移動しているか否かを判断する。そして、距離検出部２３は、人の領域が移動していないと判断した場合、表示装置１の正面で立ち止まっている人がいると判断し、この人を対象者に選定し、選定した対象者までの距離を特定する。具体的には、距離検出部２３は、立ち止まっていると判断した人の顔領域の大きさに対応する距離を特定する。なお、表示装置１の正面で立ち止まっている人が複数いる場合、距離検出部２３は、立ち止まっていると判断した複数人のうちで、最も大きい顔領域の大きさに対応する距離を特定すればよい。
【００２４】
更に、表示装置１の正面で表示装置１（表示画面）を見ている人を対象者に選定してもよい。この場合、例えば、人検知部２２が人の検知処理を行う際に顔検知処理を行い、検知した人の顔が正面（表示装置１の方）を向いているか否かを判断する。人検知部２２が検知した人の顔が正面を向いていると判断した場合、距離検出部２３は、表示装置１を見ている人がいると判断し、この人を対象者に選定し、選定した対象者までの距離を特定する。具体的には、距離検出部２３は、表示装置１を見ていると判断された人の顔領域の大きさに対応する距離を特定する。なお、表示装置１を見ている人が複数いる場合、距離検出部２３は、表示装置１を見ていると判断された複数人のうちで、最も大きい顔領域の大きさに対応する距離を特定すればよい。
【００２５】
撮像処理部２１、人検知部２２及び距離検出部２３によって、表示装置１は、表示面側に存在する人（対象者）までの距離を取得する。上述した構成のほかに、例えば、光を照射し、対象物（人）によって反射された光を受光し、受光した反射光に基づいて対象物までの距離を計測する距離センサを用いて、表示面から人（対象者）までの距離を取得する構成でもよい。例えば、Microsoft社製のKinect（登録商標）に搭載されている距離センサを用いることができる。
【００２６】
表示データ生成部２４は、距離検出部２３が検出した距離に応じて表示パネル１２に表示すべき表示データを生成する。まず、表示データ生成部２４は、距離検出部２３が検出した距離に応じて、キャラクタデータ１１ｂの表示領域１２ａと、案内情報１１ｃの表示領域１２ｂとを決定する。例えば、距離検出部２３が検出した距離が所定距離未満である場合、表示データ生成部２４は、図４Ａに示すように、キャラクタデータ１１ｂの表示領域１２ａ及び案内情報１１ｃの表示領域１２ｂをそれぞれ、表示パネル１２の表示領域の１／３程度及び２／３程度に決定する。一方、距離検出部２３が検出した距離が所定距離以上である場合、表示データ生成部２４は、図４Ｂに示すように、キャラクタデータ１１ｂの表示領域１２ａ及び案内情報１１ｃの表示領域１２ｂをそれぞれ、表示パネル１２の表示領域の１／１０程度及び９／１０程度に決定する。
【００２７】
表示領域１２ａ，１２ｂの割合を切り替える基準とする所定距離は、予め設定されて記憶部１１に記憶されている。また、所定距離は、例えば表示パネル１２に表示された情報を十分視認できる距離であり、２ｍ〜３ｍ程度とすることができる。また、各表示領域１２ａ，１２ｂの大きさは、上述した比率に限らず、表示装置１の使用環境に応じた比率（大きさ）とすればよい。なお、距離検出部２３が検出した距離（即ち、対象者との距離）が所定距離未満である場合の表示領域１２ａは、前記距離が所定距離以上である場合の表示領域１２ａよりも大きい領域とする。従って、前記距離が所定距離未満である場合の表示領域１２ｂは、前記距離が所定距離以上である場合の表示領域１２ｂよりも小さい領域となる。
【００２８】
次に、表示データ生成部２４は、距離検出部２３が検出した距離に応じて、第１キャラクタデータ１１ｂａ又は第２キャラクタデータ１１ｂｂのいずれかを選択する。例えば、表示データ生成部２４は、距離検出部２３が検出した距離が所定距離未満である場合は第１キャラクタデータ１１ｂａを選択し、前記距離が所定距離以上である場合は第２キャラクタデータ１１ｂｂを選択する。
また、表示データ生成部２４は、距離検出部２３が検出した距離が所定距離未満である場合は第１案内情報１１ｃａを選択し、前記距離が所定距離以上である場合は第２案内情報１１ｃｂを選択する。
【００２９】
表示データ生成部２４は、決定した表示領域１２ａに、選択した第１キャラクタデータ１１ｂａ又は第２キャラクタデータ１１ｂｂを表示し、決定した表示領域１２ｂに、選択した第１案内情報１１ｃａ又は第２案内情報１１ｃｂを表示する表示データを生成する。例えば、表示データ生成部２４は、決定した表示領域１２ａの大きさに合わせて、選択したキャラクタデータ１１ｂを拡大又は縮小して表示領域１２ａに配置し、決定した表示領域１２ｂの大きさに合わせて、選択した案内情報１１ｃを拡大又は縮小して表示領域１２ｂに配置する。なお、キャラクタデータ１１ｂ及び案内情報１１ｃが、表示領域１２ａ，１２ｂの大きさに表示できるデータであれば、拡大又は縮小する必要はない。また、第１案内情報１１ｃａ及び第２案内情報１１ｃｂとして共通の案内情報１１ｃを用いてもよく、この場合、表示データ生成部２４は、決定した表示領域１２ｂの大きさに応じて案内情報１１ｃのフォントサイズを変更し、表示領域１２ｂに配置してもよい。
【００３０】
これにより、距離検出部２３が検出した距離が所定距離未満である場合、図４Ａに示すように、表示領域１２ａに第１キャラクタデータ１１ｂａが表示され、表示領域１２ｂに第１案内情報１１ｃａが表示される表示データが生成される。また、距離検出部２３が検出した距離が所定距離以上である場合、図４Ｂに示すように、表示領域１２ａに第２キャラクタデータ１１ｂｂが表示され、表示領域１２ｂに第２案内情報１１ｃｂが表示される表示データが生成される。
【００３１】
上述した処理により、表示データ生成部２４は、表示装置１の正面にいる人（対象者）までの距離が所定距離未満であるか否かに応じて、表示パネル１２に表示するキャラクタデータ１１ｂを、第１キャラクタデータ１１ｂａ又は第２キャラクタデータ１１ｂｂに切り替える画像切替部として機能する。
表示処理部２５は、表示データ生成部２４によって生成された表示データに基づいて、図４Ａ又は図４Ｂに示すようなコンテンツ画面を表示パネル１２に表示させる。
【００３２】
次に、表示装置１が行う処理をフローチャートに基づいて説明する。図５は、表示装置１が行う表示処理の手順を示すフローチャートである。以下の処理は、表示装置１の記憶部１１に記憶してある画像処理プログラム１１ａを含む制御プログラムに従って制御部１０によって実行される。
【００３３】
表示装置１の制御部１０は、カメラ１４によって表示装置１の正面側を撮像し（Ｓ１）、取得した撮像画像に基づいて、表示装置１の正面側における人の検知処理を行う（Ｓ２）。制御部１０は、表示装置１の正面側に人を検知したか否かを判断し（Ｓ３）、人を検知したと判断した場合（Ｓ３：ＹＥＳ）、表示装置１から、検知した人（対象者）までの距離を検出する（Ｓ４）。ここでは、例えば、制御部１０は、撮像画像において検知した人の顔領域の大きさに基づいて、検知した人までの距離から特定する。
なお、複数の人を検知した場合、制御部１０は、所定の処理を行うことによって距離を検出する対象者を選定し、表示装置１から選定した対象者までの距離を検出する。
【００３４】
制御部１０は、検出した距離が、予め設定されている所定距離未満であるか否かを判断し（Ｓ５）、所定距離未満であると判断した場合（Ｓ５：ＹＥＳ）、キャラクタデータ１１ｂに基づくキャラクタの表示領域１２ａ及び案内情報１１ｃの表示領域１２ｂを決定する（Ｓ６）。ここでは、例えば、表示領域１２ａを表示パネル１２の表示領域の１／３程度に決定し、表示領域１２ｂを表示パネル１２の表示領域の２／３程度に決定する。そして、制御部１０は、記憶部１１に記憶してあるキャラクタデータ１１ｂから第１キャラクタデータ１１ｂａを読み出し、案内情報１１ｃから第１案内情報１１ｃａを読み出す（Ｓ７）。
【００３５】
一方、ステップＳ３で人を検知していないと判断した場合（Ｓ３：ＮＯ）、又は、ステップＳ５で、検出した距離が所定距離未満でないと判断した場合（Ｓ５：ＮＯ）、制御部１０は、ステップＳ８の処理に移行する。
ステップＳ８では、制御部１０は、キャラクタデータ１１ｂに基づくキャラクタの表示領域１２ａ及び案内情報１１ｃの表示領域１２ｂを決定する。ここでは、例えば、表示領域１２ａを表示パネル１２の表示領域の１／１０程度に決定し、表示領域１２ｂを表示パネル１２の表示領域の９／１０程度に決定する。そして、制御部１０は、記憶部１１に記憶してあるキャラクタデータ１１ｂから第２キャラクタデータ１１ｂｂを読み出し、案内情報１１ｃから第２案内情報１１ｃｂを読み出す（Ｓ９）。
【００３６】
次に、制御部１０は、ステップＳ６で決定した表示領域１２ａ及び１２ｂのそれぞれに、ステップＳ７で読み出した第１キャラクタデータ１１ｂａ及び第１案内情報１１ｃａを表示させる表示データ、または、ステップＳ８で決定した表示領域１２ａ及び１２ｂのそれぞれに、ステップＳ９で読み出した第２キャラクタデータ１１ｂｂ及び第２案内情報１１ｃｂを表示させる表示データを生成する（Ｓ１０）。制御部１０は、生成した表示データに基づくコンテンツ画面を表示パネル１２に表示させ（Ｓ１１）、処理を終了する。
制御部１０は、所定時間間隔で上述したステップＳ１〜Ｓ１１の処理を繰り返す。これにより、カメラ１４にて所定時間間隔で取得する撮像画像に基づいて、表示装置１の正面に人（対象者）がいるか否かをリアルタイムで検知でき、正面にいる対象者に効率良く案内情報１１ｃを提供することができる。
【００３７】
上述した処理により、表示装置１は、表示面の正面に人（対象者）がいる場合に、表示面から対象者までの距離に応じて、表示パネル１２に表示するコンテンツ（キャラクタデータ１１ｂ及び案内情報１１ｃ）を切り替えることができる。具体的には、表示面から対象者までの距離が所定距離未満である場合（図４Ａ参照）、所定距離以上である場合（図４Ｂ参照）と比較して、第１案内情報１１ｃａの表示領域１２ｂが小さく設定される。これは、表示装置１の近くから表示画像を見た場合、対象者はテキストコンテンツ等の第１案内情報１１ｃａを十分視認できるからである。また、表示領域１２ｂを小さくするだけでなく、第１案内情報１１ｃａを表示する際の文字サイズも、表示面から対象者までの距離が所定距離以上である場合と比較して小さくしてもよい。一方、表示面から対象者までの距離が所定距離以上である場合は、表示装置１から離れた場所にいる対象者に第２案内情報１１ｃｂを届けるために、表示領域１２ｂを大きく設定し、第２案内情報１１ｃｂを表示する際の文字サイズも大きくする必要がある。
【００３８】
上述の通り、表示面から対象者までの距離が所定距離未満である場合、所定距離以上である場合と比較して表示領域１２ｂを小さくできるので、第１キャラクタデータ１１ｂａの表示領域１２ａを大きく設定することができる。これにより、表示装置１の近くで表示画像を見た場合、対象者はキャラクタを細部にわたって視認できるが、第１キャラクタデータ１１ｂａを広い表示領域１２ａに大きく表示できるので、キャラクタを高画質で表示することが可能となる。よって、第１キャラクタデータ１１ｂａはより高画質なデータであることが好ましい。例えば、第１キャラクタデータ１１ｂａとして、リアルな人間に近いキャラクタの画像データ、任意の人の撮像画像データ等を用いることができる。
【００３９】
一方、表示面から対象者までの距離が所定距離以上である場合、表示領域１２ｂを大きくする必要があるので、第２キャラクタデータ１１ｂｂの表示領域１２ａは小さく設定される。ここで、第２キャラクタデータ１１ｂｂを、小さい表示領域１２ａに表示するために第１キャラクタデータ１１ｂａを縮小して生成した場合、画素つぶれ等が生じた見辛いキャラクタ画像が表示される可能性が高い。そこで、本実施形態では、第２キャラクタデータ１１ｂｂとして、第１キャラクタデータ１１ｂａのキャラクタをデフォルメして、少ない頭身数のキャラクタに変形した画像データを用いる。これにより、小さい表示領域１２ａに表示した場合であってもキャラクタ画像の画質が劣化せず、表示装置１から離れた場所からでも見易いキャラクタ画像を表示することが可能となる。
【００４０】
また、図４Ａ，Ｂに示す例では、第１キャラクタデータ１１ｂａ及び第２キャラクタデータ１１ｂｂは、キャラクタの全身を表示する画像データである。これにより、例えば、モーションデータを予め記憶部１１に記憶しておくことにより、第１キャラクタデータ１１ｂａ及び第２キャラクタデータ１１ｂｂに基づくキャラクタ画像に、モーションデータに基づく動きを付加することができる。よって、静止画のキャラクタだけでなく、動くキャラクタを表示することが可能となる。また、第１キャラクタデータ１１ｂａ及び第２キャラクタデータ１１ｂｂに対して同一のモーションデータを適用できるので、２つのキャラクタに同じような動きを付加することができる。これにより、第１キャラクタデータ１１ｂａ及び第２キャラクタデータ１１ｂｂ間で切り替えが行われた場合であっても、それぞれ表示されるキャラクタが同じような動きをするので、視認者に与える違和感を抑制できる。なお、例えば、第２キャラクタデータ１１ｂｂを小さい表示領域１２ａに表示するために、第１キャラクタデータ１１ｂａのキャラクタの顔領域等の一部を抽出して第２キャラクタデータ１１ｂｂを生成することが考えられる。この場合、第１キャラクタデータ１１ｂａ及び第２キャラクタデータ１１ｂｂの２つのキャラクタに同じような動きを付加することができない。
【００４１】
本実施形態では、対象者との距離が所定距離未満であるか否かに応じて、表示パネル１２に表示されるコンテンツ（キャラクタデータ１１ｂ及び案内情報１１ｃ）が切り替えられる。即ち、本実施形態の表示装置１は、２種類のコンテンツを切り替えて表示する構成である。このほかに、３種類以上のコンテンツを用意しておき、対象者との距離を３段階以上に区分し、各区分に応じたコンテンツを表示させる構成とすることもできる。このとき、キャラクタデータ１１ｂにおいて、基本となる第１キャラクタデータ１１ｂａに対する他のキャラクタデータ１１ｂｂのデフォルメ度合を段階的に上昇させてもよい。
【００４２】
本実施形態では、対象者との距離が所定距離未満であるか否かに応じて、表示パネル１２に表示されるキャラクタデータ１１ｂとして、第１キャラクタデータ１１ｂａ又は第２キャラクタデータ１１ｂｂが切り替えられる。このような構成において、第１キャラクタデータ１１ｂａから第２キャラクタデータ１１ｂｂに、又は第２キャラクタデータ１１ｂｂから第１キャラクタデータ１１ｂａに切り替える際に、モーフィング処理を行ってキャラクタ画像を滑らかに変形させてもよい。また、対象者との距離を３段階以上に区分し、各区分に応じたコンテンツを表示させる構成においても、各コンテンツを切り替える際に、モーフィング処理によってキャラクタ画像を滑らかに変形させてもよい。
【００４３】
また、第１キャラクタデータ１１ｂａ及び第２キャラクタデータ１１ｂｂを予め記憶部１１に記憶させておく構成のほかに、例えば第１キャラクタデータ１１ｂａのみを記憶部１１に記憶させておき、制御部１０が、第１キャラクタデータ１１ｂａに対して所定の画像処理を実行することによって第２キャラクタデータ１１ｂｂを生成する構成を有してもよい。
【００４４】
また、例えば、対象者との距離が前記所定距離よりも短い（小さい）第１閾値未満である場合に、表示パネル１２に表示されるコンテンツとして第１キャラクタデータ１１ｂａ及び第１案内情報１１ｃａに切り替えられ、対象者との距離が前記所定距離よりも長い（大きい）第２閾値以上である場合に、表示パネル１２に表示されるコンテンツとして第２キャラクタデータ１１ｂｂ及び第２案内情報１１ｃｂに切り替えられる構成としてもよい。また、この構成において、対象者との距離が第１閾値以上であり第２閾値未満である場合、対象者との距離が長くなるにつれて、キャラクタデータ１１ｂの表示領域１２ａの大きさを徐々に小さくし、案内情報１１ｃの表示領域１２ｂの大きさを徐々に大きくするようにしてもよい。なお、キャラクタデータ１１ｂの表示領域１２ａの大きさを徐々に小さく（又は大きく）することに伴って、表示領域１２ａに表示されるキャラクタデータ１１ｂに基づくキャラクタ画像を、モーフィング処理等によって滑らかに変形させてもよい。また、案内情報１１ｃの表示領域１２ｂの大きさを徐々に大きく（又は小さく）する代わりに、案内情報１１ｃのフォントサイズを徐々に大きく（又は小さく）するようにしてもよい。
【００４５】
本実施形態の表示装置１において、案内情報１１ｃに表示データだけでなく音声データ又は音楽データが含まれる場合、表示パネル１２に表示データを表示させるだけでなく、スピーカ１３から音声データ又は音楽データを出力させてもよい。これにより、表示パネル１２に表示されたコンテンツ（表示データ）だけでなく、音声メッセージによっても、表示装置１が設置されている場所、施設、近隣の店舗の案内、お知らせ等を、表示装置１の周囲の人に提供することができる。また、音声メッセージを出力する構成において、対象者との距離が所定距離未満であるか否かに応じて、出力する音声メッセージの音量を増減させてもよい。具体的には、表示装置１の制御部（音量変更部）１０は、対象者との距離が所定距離未満である場合、表示装置１の近くの人が聞き取れる程度の第１音量に設定し、対象者との距離が所定距離以上である場合、第１音量よりも大きい第２音量に設定する。また、対象者との距離が離れすぎている場合には音声出力を行わないように切り替える構成とすることもできる。
【００４６】
（実施形態２）
上述した実施形態１の表示装置１の変形例について説明する。
図６は、実施形態２の表示装置の内部構成例を示すブロック図である。実施形態２の表示装置１は、制御部１０、記憶部１１、表示パネル１２、スピーカ１３及びカメラ１４を有し、これらの各部は上述した実施形態１の表示装置１と同様の構成であるので、説明を省略する。本実施形態の表示装置１は、更にタッチパネル１５を有し、表示パネル１２及びタッチパネル１５が一体として構成された操作パネル１６を備える。
タッチパネル１５は、例えば表示パネル１２の表示面側に配置され、ユーザ（表示装置１の近傍にいる人）による接触操作又は近接操作を検知する。操作パネル１６は、タッチパネル１５が検知した接触操作又は近接操作の操作位置と、表示パネル１２に表示された情報とに基づいて、ユーザによる操作入力を受け付け、操作内容に対応した制御信号を制御部１０へ送出する。
【００４７】
上述した実施形態１の表示装置１は、表示面から人（対象者）までの距離に応じて、表示パネル１２に表示されるコンテンツを切り替える処理を行う。本実施形態２の表示装置１は、実施形態１の表示装置１と同様の処理を行うと共に、更に表示装置１の近傍に人（対象者）がいる場合に、対象者と対話しながら案内情報を提供するインタラクティブモードでの処理を行うように構成されている。
具体的には、表示装置１は、表示面から対象者までの距離が所定距離未満である場合、図４Ａに示すようなコンテンツ画面を表示し、更に操作パネル１６を介したユーザによる操作が可能となり、ユーザの操作に応じて、表示パネル１２に表示するコンテンツを切り替える構成を有する。即ち、ユーザとの対話（ユーザからの要望）に応じて表示画面（コンテンツ）が切り替えられる。
【００４８】
次に、本実施形態の表示装置１が行う処理をフローチャートに基づいて説明する。図７は、実施形態２の表示装置１が行う表示処理の手順を示すフローチャート、図８は、実施形態２の表示パネル１２の画面例を示す模式図である。以下の処理は、表示装置１の記憶部１１に記憶してある画像処理プログラム１１ａを含む制御プログラムに従って制御部１０によって実行される。
【００４９】
本実施形態の表示装置１において、制御部１０は、図５中のステップＳ１〜Ｓ５と同様の処理を行う。そして、制御部１０は、ステップＳ３で人を検知していないと判断した場合（Ｓ３：ＮＯ）、又は、ステップＳ５で、検出した距離が所定距離未満でないと判断した場合（Ｓ５：ＮＯ）、インタラクティブモードをオフに設定する（Ｓ２１）。制御部１０がインタラクティブモードをオフに設定した場合、表示装置１は、操作パネル１６（タッチパネル１５）を介したユーザからの操作を受け付けない、又は、受け付けた場合に何も行わない。具体的には、制御部１０は、操作パネル１６からの制御信号を受け付けない、又は受け付けた場合に何も行わずに破棄する。
また、インタラクティブモードをオフに設定した場合、制御部１０は、図５中のステップＳ８〜Ｓ１１と同様の処理を行う。即ち、インタラクティブモードがオフの場合、制御部１０は、実施形態１と同様の動作を実行する。なお、図７では、ステップＳ８以降のステップＳ９〜Ｓ１１の処理の図示を省略している。
【００５０】
一方、制御部１０は、ステップＳ５で、検出した距離が所定距離未満であると判断した場合（Ｓ５：ＹＥＳ）、インタラクティブモードをオンに設定する（Ｓ２２）。制御部１０がインタラクティブモードをオンに設定した場合、表示装置１は、操作パネル１６（タッチパネル１５）を介したユーザからの操作の受け付けを開始する。具体的には、制御部１０は、操作パネル１６からの制御信号を受け付け、受け付けた制御信号に応じた処理を行う。
また、インタラクティブモードをオンに設定した場合、制御部１０は、図５中のステップＳ６〜Ｓ７及びＳ１０〜Ｓ１１と同様の処理を行う。これにより、図８Ａに示すようなコンテンツ画面が操作パネル１６に表示される。
【００５１】
ここで、図８Ａに示す実施形態２のコンテンツ画面と、図４Ａに示す実施形態１のコンテンツ画面との差異について説明する。図８Ａに示すコンテンツ画面には、表示領域１２ａに表示される第１キャラクタデータ１１ｂａ及び表示領域１２ｂに表示される第１案内情報１１ｃａのほかに、操作ボタン１６ｂ，１６ｃが表示される。「次へ」の操作ボタン１６ｂは、表示領域１２ｂに表示されている第１案内情報１１ｃａを、次に表示すべき案内情報１１ｃ（第１案内情報１１ｃａ）に切り替える指示を行うための操作ボタンである。「終了」の操作ボタン１６ｃは、表示領域１２ｂに表示されている第１案内情報１１ｃａの表示を終了して、初期画面の案内情報１１ｃ（第１案内情報１１ｃａ）の表示に切り替える指示を行うための操作ボタンである。
また、図８Ａに示すコンテンツ画面では、表示領域１２ｂに表示される第１案内情報１１ｃａに操作ボタン１６ａが含まれている。「地図表示」の操作ボタン１６ａは、第１案内情報１１ｃａが案内（宣伝）している店舗の地図を表示する指示を行うための操作ボタンである。
【００５２】
インタラクティブモードがオンに設定されて、図８Ａに示すようなコンテンツ画面が操作パネル１６に表示されている場合、制御部１０は、操作パネル１６から制御信号を取得したか否かに応じて、操作パネル１６を介したユーザの操作を受け付けたか否かを判断する（Ｓ２３）。ユーザの操作を受け付けたと判断した場合（Ｓ２３：ＹＥＳ）、制御部１０は、記憶部１１に記憶してある第１案内情報１１ｃａから、ユーザの操作内容に応じた案内情報（第１案内情報１１ｃａ）を読み出す（Ｓ２４）。なお、第１案内情報１１ｃａには、例えば異なる案内情報が記載された複数のファイルが含まれており、各ファイル間にはリンクが設定されている。そして、表示中の第１案内情報１１ｃａにおける操作ボタンが操作された場合、制御部１０は、操作された操作ボタンに設定されたリンク先のファイル（案内情報）を記憶部１１（第１案内情報１１ｃａ）から読み出す。
【００５３】
そして、制御部１０は、読み出した第１案内情報１１ｃａを表示パネル１２の表示領域１２ｂに表示させ、表示パネル１２の表示画面を更新する（Ｓ２５）。なお、図８Ａに示すコンテンツ画面において、「地図表示」の操作ボタン１６ａがユーザによって操作された場合、制御部１０は、表示パネル１２の表示画面を、例えば図８Ｂに示すコンテンツ画面に変更する。
【００５４】
その後、制御部１０は、ステップＳ２３の処理に戻り、操作パネル１６を介したユーザの操作を受け付ける都度、ユーザの操作内容に応じた案内情報の記憶部１１からの読み出し、及び表示パネル１２への表示を繰り返す。
操作パネル１６を介したユーザの操作を受け付けていないと判断した場合（Ｓ２３：ＮＯ）、制御部１０は、ステップＳ１に処理を戻し、上述した処理を繰り返す。なお、ユーザの操作を受け付けていない場合とは、例えば、ステップＳ２２で制御部１０がインタラクティブモードをオンに設定してから所定時間が経過するまでの間にユーザの操作を受け付けなかった場合である。
【００５５】
上述した処理により、本実施形態の表示装置１は、表示面の正面に人（対象者）がいる場合に、表示面から対象者までの距離に応じて、表示パネル１２に表示するコンテンツ（キャラクタデータ１１ｂ及び案内情報１１ｃ）を切り替えることができる。よって、本実施形態の表示装置１では、実施形態１の表示装置１と同様の効果が得られる。
また、本実施形態の表示装置１は、表示面から対象者までの距離が所定距離未満である場合にはインタラクティブモードでの処理が可能となるので、対象者からの要望に応じたコンテンツ画面を表示することができ、対象者に効率良く案内情報１１ｃを提供することができる。
【００５６】
本実施形態の表示装置１においても、案内情報１１ｃに表示データだけでなく音声データ又は音楽データが含まれる場合、表示パネル１２に表示データ（コンテンツ画像）を表示させるだけでなく、スピーカ１３から音声データ又は音楽データ等の音声メッセージを出力させてもよい。また、音声メッセージを出力する構成において、対象者との距離が所定距離未満であるか否かに応じて、出力する音声メッセージの音量を増減させてもよい。
また、本実施形態の表示装置１において、タッチパネル１５を介したユーザの入力操作だけでなく、表示装置１にマイクを備え、マイクによって収集した音声データに基づく音声入力操作が可能となるように構成してもよい。
【００５７】
（実施形態３）
上述した実施形態１の表示装置１の変形例について説明する。実施形態３の表示装置は、上述した実施形態１の表示装置１と同様の構成によって実現されるので、構成についての説明は省略する。
上述した実施形態１の表示装置１は、表示面から人（対象者）までの距離に応じて、表示パネル１２に表示されるコンテンツを切り替える処理を行う。これに対して、本実施形態３の表示装置１は、表示面側に所定の属性（年齢、性別等）を有する人を検知し、このような人を対象者に選定し、表示面から対象者までの距離に応じて、表示パネル１２に表示されるコンテンツを切り替える処理を行う。
【００５８】
以下に、本実施形態の表示装置１の制御部１０が画像処理プログラム１１ａを実行することによって実現する機能について説明する。図９は、実施形態３の表示装置１の制御部１０によって実現される機能を示すブロック図である。
本実施形態の表示装置１において、制御部１０は、撮像処理部２１、人検知部２２、距離検出部２３、表示データ生成部２４及び表示処理部２５のほかに、対象者選定部２６の機能を実現する。なお、本実施形態においても、上述した各機能の一部を専用のハードウェア回路で実現してもよい。
【００５９】
本実施形態の人検知部２２は、人（人の領域）を検知した場合、検知した人の属性を判定する。例えば、人検知部２２が人（人の領域）を検知する際に用いるテンプレートを、年齢層、性別等を含む人の属性に対応付けて記憶部１１に記憶しておく。そして、人検知部２２は、撮像画像中に人の領域を検知した場合、人の領域を検知する際に用いたテンプレートに対応する属性を記憶部１１から読み出し、検知した人の属性とする。なお、人検知部２２は、撮像画像中に複数の人を検知した場合、検知したそれぞれの人の属性を判定する。
【００６０】
対象者選定部２６は、人検知部２２が判定した各人の属性と、予め登録してある属性とに基づいて、人検知部２２が検知した人から、所定の属性を有する人を選定し、対象者とする。具体的には、対象者選定部２６は、人検知部２２が判定した各人の属性が、予め記憶部１１に記憶されている属性であるか否かを判断し、予め記憶部１１に記憶されている属性の人を対象者に選定する。
【００６１】
そして、本実施形態の距離検出部２３は、表示装置１（表示面）から、対象者選定部２６によって選定された対象者までの距離を検出する。ここでは、距離検出部２３は、撮像画像において、対象者選定部２６によって選定された対象者の顔領域の大きさに対応する距離を特定する。なお、対象者選定部２６が複数の対象者を選定した場合、距離検出部２３は、選定された対象者のうちで、表示装置１から最も近い場所にいる対象者までの距離を特定すればよい。具体的には、距離検出部２３は、選定された対象者のうちで、顔領域が最も大きい対象者の顔領域の大きさに対応する距離を特定すればよい。
【００６２】
次に、本実施形態の表示装置１が行う処理をフローチャートに基づいて説明する。図１０は、実施形態３の表示装置１が行う表示処理の手順を示すフローチャートである。以下の処理は、表示装置１の記憶部１１に記憶してある画像処理プログラム１１ａを含む制御プログラムに従って制御部１０によって実行される。
【００６３】
本実施形態の表示装置１において、制御部１０は、図５中のステップＳ１〜Ｓ３と同様の処理を行う。そして、制御部１０は、ステップＳ３で人を検知したと判断した場合（Ｓ３：ＹＥＳ）、検知した人から対象者を選定する（Ｓ２１）。ここでは、例えば、制御部１０は、検知した人の属性を判定し、判定した属性のうちで、予め登録されている属性の人を対象者に選定する。
そして、制御部１０は、表示装置１から、選定した対象者までの距離を検出し（Ｓ４）、その後、図５中のステップＳ５〜Ｓ１１と同様の処理を行う。
【００６４】
上述した処理により、表示面側に所望の属性の対象者がいる場合に、表示装置１は、表示面から所望の属性の対象者までの距離に応じて、表示パネル１２に表示するコンテンツ（キャラクタデータ１１ｂ及び案内情報１１ｃ）を切り替えることができる。よって、表示装置１の正面にいる所望の対象者に効率良く案内情報１１ｃを提供することができる。また、所望の属性ではない人が、所望の属性の対象者よりも表示装置１の近くにいる場合であっても、所望の属性の対象者に向けて、効率良く案内情報１１ｃを提供できる。
【００６５】
上述した実施形態１〜３の表示装置１において、記憶部１１に記憶してあるキャラクタデータ１１ｂ及び案内情報１１ｃは、インターネット等のネットワークに接続可能な外部装置で管理してもよい。例えば、表示装置１に、ネットワークに接続するためのインタフェースを設け、必要に応じて制御部１０が、ネットワークを介して外部装置からキャラクタデータ１１ｂ及び案内情報１１ｃを取得し、表示パネル１２に表示する構成としてもよい。
また、上述した実施形態１〜３の表示装置１において、表示パネル１２又は操作パネル１６は、表示装置１に内蔵される構成のほかに、表示装置１本体（表示制御装置）とは別体の装置として設けられる構成でもよい。この場合、表示装置１本体と、表示パネル１２又は操作パネル１６とは、ケーブルを介して有線接続される構成でもよいし、無線通信を行う構成でもよい。
【００６６】
また、上述した実施形態１〜３の表示装置１による機能を、スピーカ１３、カメラ１４、表示パネル１２（又は操作パネル１６）等を有するディスプレイ装置と、制御部１０及び記憶部１１等を有するサーバ装置とで実現する構成でもよい。この場合、サーバ装置及びディスプレイ装置を、例えばインターネット等のネットワークを介して通信可能に構成し、街頭、ショッピングモール、ホテル、空港、駅等の適宜箇所にディスプレイ装置を設置する。そして、ディスプレイ装置は、カメラ１４によって取得した撮像画像を随時サーバ装置へ送信し、サーバ装置は、受信した撮像画像に基づいて、ディスプレイ装置の正面に人がいるか否かを検知し、検知結果に応じてディスプレイ装置に表示すべきコンテンツ画面（表示データ）を作成してディスプレイ装置へ送信する。これにより、上述した実施形態１〜３の表示装置１と同様に、ディスプレイ装置の正面に人（対象者）がいるか否かをリアルタイムで検知でき、正面にいる対象者に効率良く案内情報１１ｃを提供することができる。
このような構成において、複数のディスプレイ装置のそれぞれに表示されるコンテンツ画面（表示データ）を１つのサーバ装置で生成するようにすることもできる。
【００６７】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６８】
１  表示装置（表示制御装置）
１０  制御部（音量変更部）
１２  表示パネル（表示部）
１３  スピーカ
１４  カメラ
２３  距離検出部（距離取得部）
２４  表示データ生成部（画像切替部）
【図１】
2018205534.tif 000003
【図２】
2018205534.tif 000004
【図３】
2018205534.tif 000005
【図４】
2018205534.tif 000006
【図５】
2018205534.tif 000007
【図６】
2018205534.tif 000008
【図７】
2018205534.tif 000009
【図８】
2018205534.tif 000010
【図９】
2018205534.tif 000011
【図１０】
2018205534.tif 000012